(57)【要約】【課題】補形機能を有するインナーとして使用できるキャミソールを提供することを目的とする。【解決手段】伸縮性素材によって形成された身頃を有し、深く刳られた襟刳り中央から襟刳りに沿い、前見頃と左右ストラップ部材の接合部に至る伸縮性サポート布を有する前身頃と、該前身頃と左右ストラップ部材によって結合され、後身頃裏地の腰部に腰部左右脇線より他脇線に向かって伸縮性帯状布を腰部中央で上下巾が狭く形成された鼓状の緊締部を有する後身頃とよりなるキャミソールとした。【選択図】図２
0003150620.tif 000002
【実用新案登録請求の範囲】
【請求項１】
伸縮性素材によって形成された前身頃、ストラップ部材、後身頃とよりなり、前身頃が深く刳られた襟刳り中央から襟刳りに沿い、前見頃上端と後身頃上端とを結合する左右ストラップ部材の接合部に至る伸縮性サポート布を有し、後身頃が後身頃両脇線において前身頃と結合され、後身頃腰部裏面に腰部左右脇線より他脇線に向かって腰部中央で上下巾が狭く形成された鼓状の緊締部材を設けることを特徴とする伸縮性素材によって形成されてなる補形機能付キャミソール。
【請求項２】
前記鼓状の緊締部材が、腰部左右両脇線より他脇線に向かって腰部中央で交差するよう配置された、二本の伸縮性帯状体により構成され、交差部が腰部中央で対称の菱形状となる伸縮性帯状布が二重に接合してなる緊締部を有するものである請求項１に記載の補形機能付キャミソール。
【請求項３】
前記腰部中央に設けられた鼓状の緊締部材が、前身頃及び後身頃を形成する伸縮性素材と同様な伸縮性を有する素材で構成されている請求項１又は請求項２に記載の補形機能付キャミソール。
【請求項４】
襟刳りに設けた前記伸縮性サポート布が、身頃に使用した伸縮性素材を二重にして輪部分を上端にし、曲線状の折端部を襟刳りに沿って縫着してなる請求項１乃至請求項３に記載の補形機能付キャミソール。
【考案の詳細な説明】
【技術分野】
【０００１】
本考案は、バストの成形効果を高めると共に、後身頃腰部分にサポート帯を設けたキャミソールに関する。
【背景技術】
【０００２】
キャミソール型の肌着において、バスト部からウエスト部の広い範囲において体形補正をする目的で種々の体形補正用インナーが考案されている。例えば、キャミソール本体の内側にバスト部からウエスト部の広い範囲に低伸縮かつ高弾力のメッシュ生地を縫着するもの（特許文献１）、ブラジャーをつけた上に着用し、バストアップと姿勢を良くするために伸縮性を有する糸により、ネックライン刳り下、前身頃の脇側部及び背中にＸ字状部分に緯編みにより編成された横方向に伸縮性の小さい部分を設けたインナー・ウエア（特許文献２）などがある。
【０００３】
更に、伸縮性を有する素材を用いて編地を変化させることで必要部位に着圧をかけ、テーピング効果により姿勢をコントロールするキャミソール型インアーウエア（特許文献３）も提案されている。しかしながら、編地の組織を変化させることにより、インナーウエアを形成する編地に部分的に伸縮性を加える手段は、編成が複雑であり製造工程が複雑となる。
【先行技術文献】
【特許文献】
【０００４】
【特許文献１】登録実用新案第３１４３２１２号公報
【特許文献２】特許第４０３２１００号公報
【特許文献３】特開２００７−１３８３３５号公報
【考案の概要】
【考案が解決しようとする課題】
【０００５】
一般に、キャミソールは、ブラジャーと同時に着用され、上衣の襟刳りも広いものが好まれる。この点を考慮すると、キャミソールの襟刳りは深くえぐったＵ型に形成されるのでブラジャーの有する効果を高める構造を襟刳りに有し、更に、直立した姿勢を保つために腰を押さえ保持する機能を有することが求められている。本考案は、ブラジャーによるバストアップ効果を高め、着用感が良く衣服の外観に影響を及ぼさない腰押さえ部を設けたキャミソールであって、補形機能を有するインナーとして使用できるキャミソールを提供することを目的とする。
【課題を解決するための手段】
【０００６】
本考案の補正機能つきキャミソールは、伸縮性素材によって形成された前身頃、ストラップ部材、後身頃とよりなり、前身頃が深く刳られた襟刳り中央から襟刳りに沿い、前身頃上端と後身頃上端とを結合する左右ストラップ部材の接合部に至る伸縮性サポート布を有し、後身頃が後身頃両脇線において前身頃と結合され、後身頃腰部裏面に腰部左右脇線より他脇線に向かって腰部中央で上下巾が狭く形成された鼓状の緊締部を有することを特徴とする伸縮性素材によって形成されてなる補形機能付キャミソールである。該鼓状の緊締部は、腰部左右両脇線より他脇線に向かって腰部中央で交差するよう配置された、二本の伸縮性帯状体により形成され、交差部が腰部中央で対象となる菱形状となる伸縮性帯状布が二重に接合してなる緊締部とすることができる。
【０００７】
襟刳りに設けた前記伸縮性サポート布が、前身頃及び後身頃に使用した伸縮性素材を二重にして輪部分を上端にし、曲線状の折端部を襟刳りに沿って縫着することが好ましい。また、上記後身頃に設けた緊締部も、伸縮性素材と同様な伸縮性を有する素材で構成されることが好ましい。
【考案の効果】
【０００８】
本考案のキャミソール型肌着は、ブラジャーを併用した場合に、襟刳りを深く切り込んだ襟刳りのＵ字型部分に左右に配置した三日月状の伸縮性部分を設けることによってブラジャー下部からブラジャーに接してバストを持ち上げるバストアップ効果を有する。更に、キャミソール型肌着の後身頃腰部分に、腰部片側脇線から他端脇線に向かって幅広の伸縮性布地による帯状布を鼓状に設け、腰を強く押さえることで姿勢を正しく保つ効果を有する。特に、腰部分では、腰を押さえる部分が大げさにならず、心地よい着用感が得られ衣服の外観に影響を及ぼすことがない。また、腰を押さえる部分を二本の伸縮性帯状体により形成する場合は、強い腰部保持力を得ることが出来る。
【図面の簡単な説明】
【０００９】
【図１】図１は、本考案のキャミソールの正面図である。
【図２】図２は、図１に示した本考案のキャミソールの第一の具体例を示し、裏身頃を内面から見た状態を示す図である。
【図３】図３は、図１に示した本考案のキャミソールの第二の具体例を示し、裏身頃を内面から見た状態を示す図である。
【考案を実施するための形態】
【００１０】
キャミソール本体１の前身頃２及び後身頃３は、図１に示すように、身体に沿うように伸縮性素材で形成される。前身頃２及び後身頃３上端にはストラップ状部材４，４が結合されるが、ストラップ状部材４，４は、通常のキャミソールと同様のテープ状ストラップであっても良いが、肩上部５，５においてやや幅広であり、前身頃２及び後身頃３の上端６，６にそれぞれ接合される部分の巾が狭く形成されたストラップ状部材４，４として構成することが好ましい。ストラップ状部材４，４は、前身頃２及び後身頃３に使用した伸縮性素材を二重にして形成しても良い。ストラップ状部材４には、適宜部分に長さ調整具７，７を設ける。このような構成は、ストラップ状部材４，４の肩上における負荷を和らげることが出来る。
【００１１】
前身頃２には、ブラジャーを着用した際のブラジャーのバージスラインに沿うように深く切り込んだＵ字型襟刳り８を形成する。Ｕ字型襟刳り８には、襟刳り中央９から左右に襟刳り８に沿って配置した三日月状のサポート布１０，１１を設ける。サポート布１０，１１は、縫着、接着など接合部分が厚くならぬように任意の手段で前身頃表地１３のＵ字型襟刳り８に接合する。サポート布１０、１１は、適宜の伸縮性とブラジャーカップ部を支える剛性を有する素材であることが好ましい。サポート布１０，１１は、上記ストラップ状部材４，４と同様に身頃に使用した伸縮性素材の輪部分を上端にし、曲線状の折端部を襟刳りに沿って縫着し、二重に形成することも可能である。このサポート布１０，１１はキャミソール本体１の下に着用したブラジャーのカップ部の下方のバージスライン付近に接することによりその伸縮性によってバストを押し上げる作用を有し、ブラジャーの機能をサポートするので、バストアップ効果を得ることが出来る。
【００１２】
図２は、後身頃裏地１４を示している。後身頃３も上記前身頃２と同様に、上部は背中に沿って深く切り込んだ形状とされ、突出する上端６，６においてストラップ状部材４，４に接合される。接合部は、通常のブラジャーにおける構成のように、長さ調節可能なリング７，７を設ける。後身頃裏地１４のウエスト下方の腰部１５には、腰部脇の一端１６から腰部脇の他端１７に向かって腰部中央Ｘ−Ｘ線付近で上下巾が狭く形成された鼓状の緊締部１８を有する。緊締部１８は、身体側部より後腰を押さえることで姿勢を正す整形機能を有する。鼓状の緊締部１８としては、伸縮性の布地を用い、接着することにより後身頃に貼着しているので、腰を押す効果を発揮するが、着用する衣類の外観に響かず、身体のシルエットを美しく見せる効果を有する。伸縮性素材としては、身頃と同一の伸縮性素材を使用することもできる。
【００１３】
次に、上記緊締部１８の第二の実施態様を図３において説明する。この実施態様においては、幅広の伸縮性帯状布１９を中央線Ｘ−Ｘ線を中心として腰脇部１６より腰脇部１７に向かい斜め下方に、一方、伸縮性帯状布２０を中央線Ｘ−Ｘ線を中心として腰脇部１７より腰脇部１６に向かい帯状布１９と交差するように斜め下方に向かって設ける。この伸縮性帯状布１９，２０の交差によって、ウエスト下方の腰部１５には、腰部１５の中央線Ｘ−Ｘ線を中心として全体として鼓状の緊締部１８が形成される。
【００１４】
第二の実施態様における緊締部１８においては、伸縮性帯状布１９、２０は、伸縮性を有する素材を使用する。素材は特に限定はされないが、熱接着可能な伸縮性素材が用いられる。伸縮性帯状布１９、２０の交差により形成される鼓状の緊締部１８は、腰部１５の中央線Ｘ−Ｘから腰部脇１６、１７に向かって菱形状に二重に構成される部分を有し、この菱形状部２１は、身頃地と合わせると略菱形の三重の伸縮性生地で形成され、腰を強く押さえることで姿勢を正しく保つ効果を大きくし姿勢を正す整形機能を高めることが出来る。
【００１５】
本考案身頃等において使用する伸縮性素材は、フリーカット地であれば縁部の処理をする必要がないので好ましいが、それに限定されるものではない。接着縫製可能な布を使用することもでき、本考案における各部布片の接合は、接着剤としてナイロン１１か１２のような熱可塑性接着剤を用いて接着するほか、素材によっては接着剤を使用することなく熱接着することも可能である。
【００１６】
本考案のキャミソール型肌着は伸縮性素材を使用しており、ブラジャーを併用した場合には、襟刳りを深く切り込んだ襟刳りＵ字型部分に左右に配置した三日月状の伸縮性部分を設けることによってブラジャー下部からブラジャーに接してバストを持ち上げるバストアップ効果を有する。更に、キャミソール型肌着の後身頃腰部分に、腰部片側脇線から他端脇線に向かって幅広の伸縮性素材による鼓状の緊締部を設け、腰を強く押さえることで姿勢を正しく保つ効果を有し、縫製、編成における複雑な工程を必要としないので、製造が容易である。
【符号の説明】
【００１７】
１  キャミソール本体
２  前身頃
３  後身頃
４  ストラップ状部材
５  肩上部
６  後身頃上端
７  長さ調整具
８  Ｕ字型襟刳り
９  襟刳り中央
１０，１１  サポート布
１２  長さ調節リング
１３  前身頃表地
１４  後身頃裏地
１５  腰部
１６  腰部脇端
１７  腰部脇端
１８  緊締部
１９  伸縮性帯状布
２０  伸縮性帯状布
２１  菱形状部
Ｘ−Ｘ  腰部中央線 
【図１】
0003150620.tif 000003
【図２】
0003150620.tif 000004
【図３】
0003150620.tif 000005
【手続補正書】
【提出日】平成21年3月12日(2009.3.12)
【手続補正１】
【補正対象書類名】実用新案登録請求の範囲
【補正対象項目名】請求項４
【補正方法】変更
【補正の内容】
【請求項４】
襟刳りに設けた前記伸縮性サポート布が、身頃に使用した伸縮性素材を二重にして輪部分を上端にし、曲線状の折端部を襟刳りに沿って縫着してなる請求項１乃至請求項３のいずれか１項に記載の補形機能付キャミソール。